【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
身体の少なくとも１つの解剖学的構造に処置を施す装置であって、
体内に少なくとも部分的に挿入され、かつ、開口部を含むように構築された少なくとも１つの第１の構成と、
前記第１の構成と作動的に接続され、第１の方向に移動可能な少なくとも１つの第２の構成と、
前記少なくとも１つの第２の構成と連結され、前記第１方向の運動により前記開口部のサイズの拡大または縮小の少なくとも一方を行うように移動可能な少なくとも１つの第３の構成と、を備え、
組織を処置するための前記装置の使用中に、前記少なくとも１つの解剖学的構造が前記開口部に設けられ、前記開口部のサイズを縮小するための前記少なくとも１つの第３の構成の移動によって圧迫されると、第１の方向で前記少なくとも１つの解剖学的構造に向かう前記少なくとも１つの第３の構成の第１の運動は小さくなるかまたは停止するかの少なくとも一方であると共に、前記少なくとも１つの第２の構成の第２の運動は、（ｉ）少なくとも略等しい状態に留まるか、または（ｉｉ）第１の運動の程度よりも小さくなるかの少なくとも一方である
ことを特徴とする装置。
【請求項２】
前記第３の構成と前記第２の構成を相互に連結する張力設定構成を備える
請求項１に記載の装置。
【請求項３】
前記張力設定構成が少なくとも１つのバネを有し、前記少なくとも１つの解剖学的構造が前記少なくとも１つの第３の構成によって押されると、前記少なくとも１つのバネの張力が高まり、それにより、前記少なくとも１つの第３の構成の第１の方向の第１の運動は少なくとも小さくなると共に、第２の方向への前記少なくとも１つの第２の構成の第２の運動は、小さくならないかまたは前記第１の運動より小さくなるように助長される
請求項２に記載の装置。
【請求項４】
前記少なくとも１つのバネが前記少なくとも１つの第３の構成に対して力を発生させ、それにより、漸進的な一定の組織圧迫を助長する
請求項３に記載の装置。
【請求項５】
前記少なくとも１つの第３の構成が、前記少なくとも１つの第１の構成の先端部分から進退移動する、クランプ表面を有する閉鎖構成を有し、前記第３の構成が移動すると、前記クランプ表面が、前記少なくとも１つの解剖学的構造と接触する接触面を有する
請求項１に記載の装置。
【請求項６】
前記少なくとも１つの第１の構成が第１のハンドル構造を有し、前記少なくとも１つの第２の構成が、前記第１のハンドル構造に向かって移動する第２のハンドル構造を有する
請求項５に記載の装置。
【請求項７】
前記第１の構成と前記第２の構成を相互に連結し少なくとも１つのバネを有する張力設定構成を備え、前記少なくとも１つのバネが、前記第１のハンドル構造と前記第２の構成の閉鎖構成の間に取り付けられた定荷重バネである
請求項６に記載の装置。
【請求項８】
前記少なくとも１つの解剖学的構造がハンドルの作動により前記閉鎖構成によって押され、前記少なくとも１つの第３の構成の閉鎖構成の運動が小さくなるかまたは停止するかの少なくとも一方であると、ハンドルの連続作動が前記少なくとも１つの第２の構成を第１の方向に前記第３の構成の閉鎖構成上を滑動させる
請求項５に記載の装置。
【請求項９】
前記第２の構成と前記第３の構成を相互に連結し少なくとも１つのバネを有する張力設定構成を備え、前記少なくとも１つの解剖学的構造が前記少なくとも１つの第３の構成によって押されると、前記少なくとも１つのバネの張力が高まり、それにより、前記少なくとも１つの第３の構成の第１の方向への前記閉鎖構成の第１の運動は少なくとも小さくなり、前記少なくとも１つの第２の構成が前記閉鎖構成上を滑動するよう助長される
請求項８に記載の装置。
【請求項１０】
前記少なくとも１つの第１の構成が、相互に外れないように接続された第１のハンドル構造と肛門鏡構造を有する
請求項１に記載の装置。
【請求項１１】
前記第１の構成及び前記第２の構成を相互に連結する少なくとも１つのバネを備える
請求項１に記載の装置。
【請求項１２】
前記少なくとも１つの第１の構成が少なくとも１つのハンドル部分を有し、前記少なくとも１つの第３の構成が、前記少なくとも１つの第１の構成の先端部分から進退移動するように構築された閉鎖構成を有し、
前記少なくとも１つのバネが、前記少なくとも１つのハンドル部分及び前記第２の構成と連結されている
請求項１１に記載の装置。
【請求項１３】
前記少なくとも１つのバネが、第１の方向と少なくとも略反対である方向への前記閉鎖構成の移動を促進する
請求項１２に記載の装置。
【請求項１４】
前記少なくとも１つの第２の構成が、その中またはその上に、接触面にまたはその付近に設けられた少なくとも１つの電極を有し、前記少なくとも１つの電極が電源によって作動する
請求項５に記載の装置。
【請求項１５】
少なくとも１つの電極を備え、前記少なくとも１つの電極が前記少なくとも１つの第１の構成内に少なくとも部分的に埋め込まれている
請求項５に記載の装置。
【請求項１６】
前記少なくとも１つの電極が、前記少なくとも１つの解剖学的構造が前記少なくとも１つの第３の構成によって前記開口部内に拘束されると前記少なくとも１つの解剖学的構造の少なくとも１つの領域に照射を行う
請求項１４に記載の装置。
【請求項１７】
前記少なくとも１つの第２の構成が、その中またはその上に、前記少なくとも１つの解剖学的構造に光を当てる少なくとも１つの照明構成を有する
請求項１４に記載の装置。
【請求項１８】
前記第２の構成が、運動の間前記第３の構成と連結された状態にとどまる
請求項１に記載の装置。
【請求項１９】
前記装置が組織に対して略一定の圧迫を加える
請求項１に記載の装置。
【手続補正２】
【補正対象書類名】明細書
【補正対象項目名】００３６
【補正方法】変更
【補正の内容】
【００３６】
【図１】開放位置にある本発明装置の例示的実施形態の垂直断面図
【図１Ａ】開放位置にある本発明装置の例示的実施形態の垂直断面図
【図１Ｂ】開放位置にある本発明装置の例示的実施形態の垂直断面図
【図１Ｃ】開放位置にある本発明装置の例示的実施形態の垂直断面図
【図２】閉鎖位置にある図１の装置の断面図
【図２Ａ】閉鎖位置にある図１の装置の断面図
【図２Ｂ】閉鎖位置にある図１の装置の分解斜視図
【図２Ｃ】閉鎖位置にある図１の装置の断面図
【図２Ｄ】閉鎖位置にある図１の装置の断面図
【図３Ａ】図１及び図２の装置の第１の部分の左側断面図
【図３Ｂ】図３Ａに示した第１の部分の右側断面図
【図３Ｃ】図３Ａに示した第１の部分の右側斜視図
【図３Ｄ】図３Ａに示した第１の部分の左側斜視図
【図４Ａ】図１の装置の第２の部分の右側面図
【図４Ｂ】図４Ａに示した第２の部分の背面図
【図４Ｃ】図４Ａに示した第２の部分の右側面図
【図４Ｄ】図４Ａに示した第２の部分の斜視図
【図５Ａ】図１の装置の第３の部分の側面図
【図５Ｂ】図５Ａに示した第３の部分の上面図
【図５Ｃ】図５Ａに示した第３の部分の右側斜視図
【図５Ｄ】図５Ａに示した第３の部分の左側斜視図
【図６Ａ】図１の装置に用いられたバネの横側面図
【図６Ｂ】図６Ａに示したバネの正面図
【手続補正３】
【補正対象書類名】明細書
【補正対象項目名】図１Ａ
【補正方法】追加
【補正の内容】
【図１Ａ】
2013525019.tif 000001
【手続補正４】
【補正対象書類名】明細書
【補正対象項目名】図１Ｂ
【補正方法】追加
【補正の内容】
【図１Ｂ】
2013525019.tif 000002
【手続補正５】
【補正対象書類名】明細書
【補正対象項目名】図１Ｃ
【補正方法】追加
【補正の内容】
【図１Ｃ】
2013525019.tif 000003
【手続補正６】
【補正対象書類名】明細書
【補正対象項目名】図２Ａ
【補正方法】追加
【補正の内容】
【図２Ａ】
2013525019.tif 000004
【手続補正７】
【補正対象書類名】明細書
【補正対象項目名】図２Ｂ
【補正方法】追加
【補正の内容】
【図２Ｂ】
2013525019.tif 000005
【手続補正８】
【補正対象書類名】明細書
【補正対象項目名】図２Ｃ
【補正方法】追加
【補正の内容】
【図２Ｃ】
2013525019.tif 000006
【手続補正９】
【補正対象書類名】明細書
【補正対象項目名】図２Ｄ
【補正方法】追加
【補正の内容】
【図２Ｄ】
2013525019.tif 000007